(57)【特許請求の範囲】
【請求項１】
室内の天井面、壁面、または床面の少なくとも１つの室内面に光を反射させて室内を照明する照明ユニットであって、
前記照明ユニットは、前記室内面よりも前記室内の空間側に配置されており、
前記照明ユニットは、前記室内面に光を反射させて室内を照明するように、光を反射させる前記室内面の近傍に配置された光源と、
前記光源から発生した熱を蓄熱する潜熱蓄熱材を有した蓄熱部材と、を少なくとも備え
前記照明ユニットは、前記室内において、前記蓄熱部材および前記光源を支持する支持部材を備えており、
前記支持部材は、前記光を反射させる室内面またはこれに隣接する室内面に取付けられており、
前記支持部材は、対向する壁面の間または隣接する壁面の間をわたすように配置される支持梁であり、前記支持梁は、前記支持梁の両側の端部において、取付け部材を介して、前記壁面に取付けられており、
前記取付け部材は、前記支持梁を下方から支持するものであり、
前記支持梁には、前記光源と前記蓄熱部材と収容する収容凹部が形成されており、
前記光源は、前記収容凹部の開口部から露出するように配置されており、
前記蓄熱部材は、前記収容凹部の内壁面に接触するように配置されており、
前記収容凹部には、前記蓄熱部材を介して前記収容凹部の内壁面を押圧する押圧部材が、配置されていることを特徴とする照明ユニット。
【請求項２】
前記押圧部材は、少なくとも前記蓄熱部材と接触する部分が金属材料からなることを特徴とする請求項１に記載の照明ユニット。
【請求項３】
室内の天井面、壁面、または床面の少なくとも１つの室内面に光を反射させて室内を照明する照明ユニットであって、
前記照明ユニットは、前記室内面よりも前記室内の空間側に配置されており、
前記照明ユニットは、前記室内面に光を反射させて室内を照明するように、光を反射させる前記室内面の近傍に配置された光源と、
前記光源から発生した熱を蓄熱する潜熱蓄熱材を有した蓄熱部材と、を少なくとも備えており、
前記照明ユニットは、前記室内において、前記蓄熱部材および前記光源を支持する支持部材を備えており、
前記支持部材は、前記光を反射させる室内面またはこれに隣接する室内面に取付けられており、
前記支持部材は、対向する壁面の間または隣接する壁面の間をわたすように配置される支持梁であり、前記支持梁は、前記支持梁の両側の端部において、取付け部材を介して、前記壁面に取付けられており、
前記支持梁には、前記支持梁の長手方向に沿って、前記光源と前記蓄熱部材とを収容する空洞部が形成されており、
前記支持梁は、前記空洞部から前記光源を露出させる開口部が形成されており、
前記光源は、前記開口部から露出するように配置されており、
前記蓄熱部材は、前記空洞部の内壁面に接触するように配置されており、
前記取付け部材は、前記空洞部の両側から挿入された状態で、前記支持梁と前記壁面に固定されていることを特徴とする照明ユニット。
【請求項４】
前記空洞部には、前記蓄熱部材を介して前記空洞部の内壁面を押圧する押圧部材が、配置されていることを特徴とする請求項３に記載の照明ユニット。
【請求項５】
前記押圧部材は、少なくとも前記蓄熱部材と接触する部分が金属材料からなることを特徴とする請求項４記載の照明ユニット。
【請求項６】
前記光源は、ＬＥＤ光源であり、
前記照明ユニットは、交流電流を直流電流に変換する変換器を備えており、
前記ＬＥＤ光源は、前記変換器から前記直流電流が供給されるように、前記変換器に接続されており、
前記変換器は、前記蓄熱部材に配置されていることを特徴とする請求項１〜５のいずれか一項に記載の照明ユニット。
【発明の詳細な説明】
【技術分野】
【０００１】
本発明は、室内の天井面、壁面、または床面の少なくとも１つの室内面を照明する照明ユニットに関する。
【背景技術】
【０００２】
従来から、電源から電力を供給することにより光源を発光させて、室内空間を照明する技術が利用されている。ここで、光源を発光させたときに、光源が発熱する。この光源の発熱した熱を蓄熱する様々な技術が開示されている。
【０００３】
例えば、特許文献１には、内壁部と外壁部との間において内壁部に開放した灯室を照明するように灯室に配置されたＬＥＤ光源と、ＬＥＤ光源を固定し、ＬＥＤ光源から発生する蓄熱するアルミニウム等の金属からなる蓄熱部と、蓄熱部に一体的に成形された放熱部と、を備えた照明ユニットが開示されている。
【０００４】
また、特許文献２には、室内の天井面に取付けられ、床面を含む室内面を照明する発光体を含む光源と、光源の照射側とは反対側に配置され、光源から発生する熱を蓄熱する潜熱蓄熱材とを、備えた照明ユニットが開示されている。
【先行技術文献】
【特許文献】
【０００５】
【特許文献１】特開２０１１−２９２０５号公報
【特許文献２】特開平８−２１２８２６号公報
【発明の概要】
【発明が解決しようとする課題】
【０００６】
特許文献１に係る照明ユニットは、ＬＥＤ光源から発熱した熱を、熱伝導性の高いアルミニウム等の金属製の蓄熱部を介して、内壁部と外壁部との間の放熱部から、放熱している。しかしながら、特許文献１の係る照明ユニットは、内壁部と外壁部との間に配置されているため、ＬＥＤ光源から発生した熱は、室内にほとんど放熱されない。
【０００７】
また、特許文献２に係る照明ユニットも、光源の熱を蓄熱する潜熱蓄熱材は、室内の天井面よりも、さらに室外側に配置されているので、この場合であっても、蓄熱された潜熱蓄熱材の熱は、室内にほとんど放熱されない。
【０００８】
本発明は、このような点を鑑みてなされたものであり、その目的とするところは、光源から発生した熱を蓄熱し、蓄熱された熱を室内に好適に放熱することができる照明ユニットを提供することにある。
【課題を解決するための手段】
【０００９】
前記課題を鑑みて、本発明に係る照明ユニットは、室内の天井面、壁面、または床面の少なくとも１つの室内面に光を反射させて室内を照明する照明ユニットであって、前記照明ユニットは、前記室内面よりも前記室内の空間側に配置されており、前記照明ユニットは、前記室内面に光を反射させて室内を照明するように、光を反射させる前記室内面の近傍に配置された光源と、前記光源から発生した熱を蓄熱する潜熱蓄熱材を有した蓄熱部材と、を少なくとも備えることを特徴とする。
【００１０】
本発明によれば、照明ユニットは、室内面よりも室内の空間側に配置されているので、光源から発生し室内に放熱される熱を、蓄熱部材の潜熱蓄熱材で蓄熱することができる。これにより、光源で発生した熱を、潜熱蓄熱材で一旦蓄熱し、光源の灯りを消灯した後に、室内の温度低下に伴い、潜熱蓄熱材で蓄熱した熱を室内に放熱することができる。このような結果、室内を消灯後に室内温度が低下することを遅らせることができる。
【００１１】
さらに、室内に蓄熱部材が配置されているので、例えば、冬季に暖房している部屋に日射が入り室内の温度が急激に上がるような状況では、室内の余分な熱（日射による熱など）を潜熱蓄熱材で吸熱（蓄熱）することで室内温度の急激な上昇を抑えることができる。その後、日射がなくなったときに蓄熱した熱を潜熱蓄熱材から放熱することができる。このようにして、室温の急激な上昇による不快感を抑え、暖房費の節約ができる。このような急激な温度上昇は、高気密高断熱の住宅で起こりやすいため、本発明に係る照明ユニットを高気密高断熱の住宅に適用することにより、よりその効果を発揮することができる。
【００１２】
より好ましい態様としては、前記照明ユニットは、前記室内において、前記蓄熱部材および前記光源を支持する支持部材を備えており、前記支持部材は、前記光を反射させる室内面またはこれに隣接する室内面に取付けられる。
【００１３】
この態様によれば、支持部材により、光を反射させる室内面の近傍に光源を容易に配置することができるとともに、蓄熱部材の潜熱蓄熱材で蓄熱された熱を、支持部材を介して室内により効率的に放熱することができる。
【００１４】
より好ましい態様としては、前記支持部材は、対向する壁面の間または隣接する壁面の間をわたすように配置される支持梁であり、前記支持梁は、前記支持梁の両側の端部において、取付け部材を介して、前記壁面に取付けられている。
【００１５】
この態様によれば、支持梁は、支持梁の両側の端部において、取付け部材を介して室内面の１つある壁面に取付けられているので、室内の大規模な改造工事を行うことなく、照明ユニットを簡単に室内に取付けることができる。さらに、支持梁の両端の端部から、取付け部材を取り外すことにより、支持梁に配置された光源等の補修を簡単に行うことができる。
【００１６】
ここで、支持梁は、対向する壁面の間または隣接する壁面の間をわたすように配置することができるのであれば、支持梁の取付け構造は特に限定されるものではない。より好ましい態様としては、前記取付け部材は、前記支持梁を下方から支持するものであり、前記支持梁には、前記光源と前記蓄熱部材と収容する収容凹部が形成されており、前記光源は、前記収容凹部の開口部から露出するように配置されており、前記蓄熱部材は、前記収容凹部の内壁面に接触するように配置されている。
【００１７】
この態様によれば、取付け部材により支持梁は下方から支持されるので、取付け部材に対して、支持梁の取付け取り外しを簡単に行うことができる。これにより、室内空間において、照明ユニットの施工を簡単に行うことができる。
【００１８】
また、支持梁の収容凹部に収容された光源は、開口部から露出しているため、光源の光を開口部を介して天井面に照射することができる。さらに、蓄熱部材は、収容凹部の内壁面に接触しているので、光源で発生し、蓄熱部材で蓄熱した熱を、支持梁を介して、室内に効率良く放熱することができる。
【００１９】
より好ましい態様としては、前記収容凹部には、前記蓄熱部材を介して前記収容凹部の内壁面を押圧する押圧部材が、配置されている。この態様によれば、押圧部材が、蓄熱部材介して収容凹部の内壁面を押圧するので、蓄熱部材と内壁面との隙間の発生を抑制し、蓄熱部材からの熱を、支持梁を介して室内により効率良く放熱することができる。
【００２０】
収容凹部に配置された押圧部材のより好ましい態様としては、前記押圧部材は、少なくとも前記蓄熱部材と接触する部分が金属材料からなる。この態様によれば、押圧部材の前記部分が金属材料からなるので、光源からの熱を、押圧部材の金属材料からなる部分を介して、蓄熱部材に均一に伝達することができる。
【００２１】
前記支持部材が支持梁である場合の別のより好ましい態様としては、前記支持梁には、前記支持梁の長手方向に沿って、前記光源と前記蓄熱部材とを収容する空洞部が形成されており、前記支持梁は、前記空洞部から前記光源を露出させる開口部が形成されており、前記光源は、前記開口部から露出するように配置されており、前記蓄熱部材は、前記空洞部の内壁面に接触するように配置されており、前記取付け部材は、前記空洞部の両側から挿入された状態で、前記支持梁と前記壁面に固定されている。
【００２２】
この態様によれば、壁面に支持梁を取り付ける取付け部材は、支持梁の空洞部の両側から挿入された状態で、支持梁と壁面とに固定されるので、取付け部材が、空洞部内に収まる。これにより、取付け部材が室内に露出することを抑え、室内の美観を高めることができる。さらに、支持梁は、取付け部材を介して壁面に取付けられているので、支持梁の取付け取り外しを簡単に行うことができる。これにより、室内空間において、照明ユニットの施工を簡単に行うことができる。
【００２３】
また、支持梁の収容凹部に収容された光源は、開口部から露出しているため、光源の光を開口部を介して天井面に照射することができる。さらに、蓄熱部材は、空洞部の内壁面に接触しているので、光源で発生し、蓄熱部材で蓄熱した熱を、支持梁を介して、室内に効率良く放熱することができる。
【００２４】
より好ましい態様としては、前記空洞部には、前記蓄熱部材を介して前記空洞部の内壁面を押圧する押圧部材が、配置されている。この態様によれば、押圧部材で、蓄熱部材を介して空洞部の内壁面を押圧するので、蓄熱部材と内壁面との隙間の発生を抑制し、蓄熱部材からの熱を、支持梁を介して室内により効率良く放熱することができる。
【００２５】
空洞部に配置された押圧部材のより好ましい態様としては、前記押圧部材は、少なくとも前記蓄熱部材と接触する部分が金属材料からなる。この態様によれば、押圧部材の前記部分が金属材料からなるので、光源からの熱を、押圧部材の金属材料からなる部分を介して、蓄熱部材に均一に伝達することができる。
【００２６】
別の好ましい態様としては、前記照明ユニットは、前記室内に面するように配置されるパネル材をさらに備えており、前記パネル材と前記室内面との間に、前記蓄熱部材が配置される。
【００２７】
この態様によれば、パネル材と室内面との間において蓄熱部材が配置されるので、蓄熱部材の潜熱蓄熱材で蓄熱された熱を、パネル材を介して室内に放熱することができる。また、パネル材と室内面との間に、蓄熱部材の厚み分の隙間が形成されている場合には、この隙間を形成する空間にも、蓄熱部材の潜熱蓄熱材で蓄熱された熱を放熱することができる。
【００２８】
さらに好ましい態様としては、前記光源は、ＬＥＤ光源であり、前記照明ユニットは、交流電流を直流電流に変換する変換器を備えており、前記ＬＥＤ光源は、前記変換器から前記直流電流が供給されるように、前記変換器に接続されており、前記変換器は、前記蓄熱部材に配置されている。
【００２９】
この態様によれば、光源にＬＥＤ光源を用いるので、低電力で室内面を照明することができるばかりでなく、仮に、潜熱蓄熱材が溶融時に、潜熱蓄熱材でＬＥＤ光源の配線が短絡したとしても、スパークが発生し難い。さらに、この態様では、変換器から発生する熱を、蓄熱部材の潜熱蓄熱材で蓄熱することができる。
【００３０】
また、ＬＥＤ光源のＬＥＤ素子は、高温環境下で長時間使用することにより、その寿命が低下するところ、本発明によれば、潜熱蓄熱材でＬＥＤ光源から発生した熱を吸熱するので、ＬＥＤ素子の寿命を延ばすことができる。ここで、ＬＥＤ光源に隣接して変換器を配置した場合、変換器の熱により、変換器に隣接したＬＥＤ素子が高温環境下に晒され易い。しかしながら、この態様では、変換器から発生する熱を、蓄熱部材の潜熱蓄熱材で吸熱することができるため、変換器に隣接してＬＥＤ光源を配置しても、変換器に隣接したＬＥＤ素子の劣化を抑えることができる。
【発明の効果】
【００３１】
本発明によれば、光源から発生した熱を蓄熱し、蓄熱された熱を室内に好適に放熱することができる。
【図面の簡単な説明】
【００３２】
【図１】（ａ）は、本発明の第１実施形態に係る照明ユニットを天井面に取り付けた状態の模式的斜視図であり、（ｂ）は、照明ユニットの要部の模式的斜視図である。
【図２】図１（ａ）に示す、照明ユニットを天井面に取り付けた状態の模式的断面図である。
【図３】図１（ｂ）に示す、照明ユニットの光源を説明するための模式的断面図である。
【図４】（ａ）〜（ｄ）は、図２に示す照明ユニットの第１〜第４の変形例に係る模式的断面図である。
【図５】図２に示す照明ユニットを、壁面に取付けた状態の模式的断面図である。
【図６】本発明の第２実施形態に係る照明ユニットを壁面に取り付けた状態の模式的斜視図である。
【図７】図６に示す照明ユニットの取付け構造を説明するための模式的分解斜視図である。
【図８】図７のＡ−Ａ線の矢視に沿った模式的断面図である。
【図９】（ａ）および（ｂ）は、図８に示す照明ユニットの第１および第２の変形例に係る模式的断面図である。
【図１０】本発明の第２実施形態のさらなる変形例に係る照明ユニットを壁面に取り付けた状態の模式的斜視図である。
【図１１】図１０に示す照明ユニットの取付け構造を説明するための模式的分解斜視図である。
【図１２】図１１のＢ−Ｂ線の矢視に沿った模式的断面図である。
【図１３】（ａ）および（ｂ）は、図１２に示す照明ユニットの第１および第２の変形例に係る模式的断面図である。
【図１４】（ａ）は、本発明の第３実施形態に係る照明ユニットを壁面に取付けた状態の模式的断面図であり、（ｂ）は、（ａ）に示す照明ユニットの変形例を示した模式的断面図である。
【発明を実施するための形態】
【００３３】
以下に、本発明に係る照明ユニットを、図１〜１４を参照しながら、３つの実施形態により説明する。
【００３４】
〔第１実施形態〕
図１（ａ）は、本発明の第１実施形態に係る照明ユニット１Ａを天井面Ｔに取り付けた状態の模式的斜視図であり、図１（ｂ）は、照明ユニット１Ａの要部の模式的斜視図である。図２は、図１（ａ）に示す、照明ユニット１Ａを天井面Ｔに取り付けた状態の模式的断面図である。図３は、図１（ｂ）に示す、照明ユニット１Ａの光源を説明するための模式的断面図である。
【００３５】
図１に示すように、本実施形態に係る照明ユニット１Ａは、室内Ｒの天井面（室内面）Ｔに光を反射させて間接照明するコニース照明用の照明ユニットである。本実施形態に示すように、照明ユニット１Ａは、室内面である天井面Ｔよりも、室内Ｒの空間側に配置されている。
【００３６】
図２に示すように、照明ユニット１Ａは、光源２と、光源２が発熱する熱を蓄熱する蓄熱部材３と、蓄熱部材３とともに光源２を支持する支持部材４とを備えている。本実施形態では、光源２は、ＬＥＤ光源であり、天井面（室内面）Ｔに光を反射させて室内Ｒを照明するように、光を反射させる天井面Ｔの近傍に配置されている。具体的には、本実施形態では、光源２は、天井面Ｔに対向した位置に配置されている。
【００３７】
上述した如く光源２は、ＬＥＤ光源（ＬＥＤモジュール）であり、面実装型ＬＥＤである。本実施形態では、照明ユニット１Ａは、交流電流を直流電流に変換する変換器（ＡＣアダプター）５をさらに備えている。具体的には、変換器５は、商用電源に接続されており、商用電源からの交流１００Ｖを、直流２４Ｖまたは１２Ｖに変換する。ＬＥＤ光源は、変換器５で変換された直流電流が供給されるように、変換器５に接続されている。
【００３８】
光源２は、長尺状の基板２２の一方側（光源２が発光する側）に複数のＬＥＤ素子２１を備えており、複数のＬＥＤ素子２１は、基板２２の長手方向に沿って、直列に配置されている。図３に示すように、基板２２とＬＥＤ素子２１とは、ボンディングワイヤ２３で接続されている。これにより、変換器５を介して電源（図示せず）に接続された基板２２からの電流（電力）が、ボンディングワイヤ２３を通じてＬＥＤ素子２１に供給され、ＬＥＤ素子２１を発光させることができる。
【００３９】
さらに、基板２２の一方側の面には、リフレクタ２４が配置されており、ＬＥＤ素子２１は、基板２２とリフレクタ２４とで形成された凹部２５に収容されている。凹部２５には、ＬＥＤ素子２１を収容した状態で、透明な樹脂２６が封入されている。このようにして、発光したＬＥＤ素子の一部は、樹脂２６を介してリフレクタ２４を反射し、天井面Ｔを照明することができる。
【００４０】
本実施形態では、一般的な面実装型ＬＥＤを例示して説明したが、例えば、天井面Ｔなどの室内面を照明することができるのであれば、ランプ型ＬＥＤでもよい。このように、光源２にＬＥＤ光源を用いることにより、低電力で天井面Ｔを照明することができるばかりでなく、仮に、後述する潜熱蓄熱材の溶融時に、潜熱蓄熱材で光源２の配線が短絡したとしてもスパークが発生し難い。
【００４１】
蓄熱部材３は、光源２の基板２２の他方側の面（光源２が発光する側の裏面）に配置されており、光源２から発生した熱を蓄熱する潜熱蓄熱材を有している。変換器５は、光源２に隣接した位置で、蓄熱部材３の一端側に配置（載置）されている。蓄熱部材３は、例えば両端が封止されたチューブ状の容体に潜熱蓄熱材を収容したものでもよく、例えば、木材や多孔質材などの基材に、相変化温度以上でゲル状となる潜熱蓄熱材を含浸させてもよい。
【００４２】
潜熱蓄熱材の材料としては、光源２を構成するＬＥＤ素子２１および基板２２から発熱した熱を、蓄熱することができるのであれば、特にその材料は限定されるものではない。潜熱蓄熱材の液相から固相への相変化温度は、１８〜２５℃であることが好ましく、ゲル状の潜熱蓄熱材を用いた場合には、８０℃以上の耐熱性を有することが好ましい。
【００４３】
このような潜熱蓄熱材の材料としては、たとえば、ｎ−ヘキサデカン、ｎ−ヘプタデカン、ｎ−オクタデカン、ｎ−ナノデカン等及びこれらの混合物で構成されるｎ−パラフィンやパラフィンワックス等の脂肪族炭化水素、オクタン酸、カプリン酸、ラウリン酸、ミリスチン酸等及びこれらの混合物で構成される長鎖脂肪酸、上記脂肪酸のエステルやポリエチレングリコール等のポリエーテル化合物、硫酸ナトリウム水和物、塩化カルシウム水和物等を挙げることができる。
【００４４】
ここで、蓄熱部材３には、光源２の消費電力に応じた量の潜熱蓄熱材を含有させる。例えば、１０畳用の光源２（ＬＥＤ光源）の場合には、消費電力が６０Ｗ／ｈであり、光源２の点灯時間が５時間の場合には、３００Ｗ程度の容量を蓄熱する潜熱蓄熱材を、蓄熱部材３に含有させる。さらに、変換器５が、光源２よりも発熱量が多い場合には、変換器５に配置される蓄熱部材３の大きさを他の部分に比べて大きくしてもよい。これにより、変換器５の近傍で放熱される熱を蓄熱し、光源２側に熱が逃げるのを抑えることができる。
【００４５】
支持部材４は、室内Ｒにおいて、蓄熱部材３を介して光源２を支持する部材であり、金具９１を介して、天井面Ｔに取り付けられている。支持部材４は、室内Ｒの美観を損なわなければ、その材料は、木材、樹脂、または、金属などであってもよい。
【００４６】
支持部材４は、断面がＬ字状のチャンネルからなり、蓄熱部材３と共に光源２を載置する平板状の載置部４１と、屈曲部４２を介して載置部４１と直交する方向に延在し、室内Ｒに向かう光源の光を遮蔽する遮光部４３と、を備えている。遮光部４３を設けることにより、間接的に室内Ｒを照明することができる。
【００４７】
天井面Ｔに、照明ユニット１Ａを取り付ける際には、支持部材４の載置部４１に、蓄熱部材３および光源２を順に接着剤を介して載置して、固定用のＬ字状の金具９１を介して、固定具９２により天井面Ｔに固定される。
【００４８】
本実施形態によれば、照明ユニット１Ａは、図１に示すように、天井面Ｔよりも室内Ｒの空間側に配置されているので、天井面Ｔを照射するように配置された光源２および変換器５から発生した熱で、基板２２の他方側に配置された蓄熱部材３の潜熱蓄熱材が溶融する。これにより、光源２および変換器５の熱を潜熱蓄熱材で蓄熱することができる。
【００４９】
光源２および変換器５で発生した熱は、蓄熱部材３の潜熱蓄熱材で一旦蓄熱され、光源２の灯りを消灯した後に、室内Ｒの温度低下に伴い、潜熱蓄熱材で蓄熱した熱を室内Ｒに放熱することができる。溶融した潜熱蓄熱材が凝固するまでは、潜熱蓄熱材から蓄熱した熱が放熱される。このような結果、例えば、夜間に室内Ｒを消灯後、就寝するまでの間に、室内Ｒの温度が即時に低下せず、室内Ｒの温度低下を遅らせることができる。
【００５０】
また、冬季に暖房している部屋に日射が入り込み、室内温度が急激に上昇するような環境下で、室内の余剰な熱を蓄熱部材３の潜熱蓄熱材で吸熱することができるため、室内温度の急激な上昇を抑えることができる。これにより、室内温度の急激な温度上昇による不快感を抑えつつ、蓄熱部材３の潜熱蓄熱材からの熱を利用して暖房コストを抑えることができる。特に、日射による熱、暖房設備により、室内温度が変化しやすい高気密高断熱の住宅で、本実施形態に係る照明ユニット１Ａを適用することは有効である。
【００５１】
また、本実施形態では、支持部材４を用いることにより、室内Ｒの空間に、光源２および蓄熱部材３を配置することができるので、蓄熱部材３の潜熱蓄熱材で蓄熱された熱を、支持部材４を介して室内Ｒにより効率的に放熱することができる。
【００５２】
ところで、光源２にＬＥＤ光源を用いた場合には、ＬＥＤ素子２１は、高温環境下で長時間使用することにより、その寿命が低下する。特に本実施形態の如く、間接照明として光源２を用いる場合には、支持部材４と天井面（室内面）Ｔとの間に形成された空間に、光源２が収容されているため、この空間内に光源２の熱がこもりやすい。
【００５３】
しかしながら、本実施形態では、支持部材４と天井面Ｔで形成された空間内において、蓄熱部材３の潜熱蓄熱材で光源２から発生した熱を吸熱するので、ＬＥＤ素子２１が長時間、高温環境下に晒されることはない。このような結果、ＬＥＤ素子２１の寿命を延ばすことができる。また、変換器５から発生する熱を、蓄熱部材３で吸熱することができるため、変換器５に隣接して光源２を配置しても、変換器５に隣接したＬＥＤ素子２１の劣化を抑えることができる。
【００５４】
図４（ａ）〜（ｄ）は、図２に示す照明ユニット１Ａの第１〜第４の変形例に係る模式的断面図である。例えば、図４（ａ）に示す第１の変形例では、蓄熱部材３Ａは、光源２の裏面から支持部材４の載置部４１に向かって広がるように形成されている。これにより、蓄熱部材３Ａと載置部４１との接触面積を大きくすることができ、蓄熱部材３Ａで蓄熱された熱を、載置部４１を介して、より効率的に放熱することができる。
【００５５】
また、図４（ｂ）に示すように、第２の変形例では、蓄熱部材３Ｂの側面に、複数の凹溝３１が形成されている。これにより、蓄熱部材３Ｂの側面には、蓄熱部材３Ｂの熱を放熱するためのフィンが形成される。このような結果、光源２の点灯時には、光源２の基板２２から光源の熱を吸熱し、光源２の消灯時には、より効率的に、蓄熱部材３Ｂの熱を、放熱することができる。
【００５６】
また、図４（ｃ）に示すように、第３の変形例では、支持部材４の載置部４１の表面のうち、室内Ｒに面した表面にフィン４４が形成されていてもよい。これにより、蓄熱部材３から放熱された熱を、載置部４１のフィン４４を介して、室内Ｒにより効率的に放熱することができる。
【００５７】
さらに、図４（ｄ）に示すように、第４の変形例では、蓄熱部材３と、支持部材４の載置部４１との間に、アルミニウム箔等からなる金属層４５が形成されている。これにより、蓄熱部材３から放熱された熱は、金属層４５を介して、支持部材４の載置部４１により均一に伝達される。このような結果、蓄熱部材３から放熱された熱を、載置部４１を介して、室内Ｒにより効率的に放熱することができる。
【００５８】
図５は、図２に示す照明ユニット１Ａを、壁面Ｗに取付けた状態の模式的断面図である。上述した第１実施形態では、照明ユニット１Ａを、室内Ｒを形成する天井面Ｔに取付けたが、例えば、図５に示すように、照明ユニット１Ａを、室内Ｒを形成する壁面Ｗに取付けてもよい。この場合には、金具９１および固定具９２を用いて、支持部材４と載置部４１を壁面Ｗに固定する。
【００５９】
〔第２実施形態〕
以下に第２実施形態に係る照明ユニット１Ｂを説明する。図６は、本発明の第２実施形態に係る照明ユニット１Ｂを壁面Ｗに取り付けた状態の模式的斜視図であり、図７は、図６に示す照明ユニット１Ｂの取付け構造を説明するための模式的分解斜視図である。図８は、図７のＡ−Ａ線の矢視に沿った模式的断面図である。
【００６０】
第２実施形態に係る照明ユニット１Ｂが、第１実施形態のものと相違する点は、図６に示すように、支持部材４が壁面間をわたす支持梁４Ａになっており、支持梁４Ａが取付け部材８Ａを介し壁面に取付けられている点である。以下に、第１実施形態に係る部材と同じ機能を有するものには、同じ符号を付して、その詳細な説明を省略する。
【００６１】
図６に示すように、本実施形態では、支持部材４は、対向する壁面Ｗ，Ｗの間をわたすように配置される支持梁４Ａであり、支持梁４Ａは、その両側の端部４ａ，４ａにおいて、取付け部材８Ａ，８Ａを介して、壁面Ｗ，Ｗに取付けられている。壁面Ｗ，Ｗ間に取付けられた照明ユニット１Ｂは、天井面Ｔに配置されたシーリングコンセントＣから電力が供給される。
【００６２】
なお、本実施形態では、対向する壁面Ｗ，Ｗの間をわたすように、取付け部材８Ａ，８Ａを介して、支持梁４Ａを壁面Ｗ，Ｗに取付けたが、例えば、隣接する壁面Ｗ，Ｗの間をわたすように、取付け部材８Ａ，８Ａを介して、支持梁４Ａを壁面Ｗ，Ｗに取り付けてもしてもよい。
【００６３】
本実施形態では、取付け部材８Ａは、支持梁４Ａを下方から支持するものであり、図７に示すように、取付け部材８Ａには、支持梁４Ａの端部４ａを収容する収容部８１が形成されている。具体的には、収容部８１は、支持梁４Ａの端部４ａを載置する載置部８２と、支持梁４Ａの両側の水平方向の移動を防止する一対の側壁部８３，８３と、により形成されている。
【００６４】
これにより、支持梁４Ａの端部４ａを収容部８１に収容した状態で、支持梁４Ａの各端部４ａは、取付け部材８Ａの載置部８２に載置され、光源２および蓄熱部材３を収容した支持部材４の荷重を、取付け部材８Ａ，８Ａによって下方から受けることができる。また、各取付け部材８Ａの一対の側壁部８３，８３により、支持梁４Ａの水平方向の移動を抑えることができる。
【００６５】
支持梁４Ａは、釘またはネジなどの固定具９２を介して、壁面Ｗに取付けられている。また、本実施形態では、支持梁４Ａの両側の端部４ａは、取付け部材８Ａに固定具等で固定されておらず載置されている。これにより、支持梁４Ａを持ち上げることにより、支持梁４Ａを取付け部材８Ａから簡単に取り外しすることができ、光源２等の補修等を行うことができる。
【００６６】
また、支持梁４Ａは、取付け部材８Ａに載置すればよいので、支持梁４Ａを取付け部材８Ａに簡単に取り付け、照明ユニット１Ｂの施工を簡単に行うことができる。特に、リフォームにおいて照明ユニット１Ｂを取り付ける場合であっても、分かりにくい天井の構造を変更することなく、さらには、照明ユニット１Ｂの重量に対して天井を補強することなく、照明ユニット１Ｂを簡単に取り付けることができる。
【００６７】
支持梁４Ａは、壁面Ｗ，Ｗの距離に相当する長さを有しており、長手方向と直交する断面がＬ字状のチャンネル４１Ａと、支持梁４Ａに収容凹部４３Ａを形成するようにチャンネル４１Ａに取付けられたカバー４２Ａと、を備えている。収容凹部４３Ａは、上方（天井側）に開口している。本実施形態では、収容凹部４３Ａにおいて光源２および蓄熱部材３の取付け・取り外しを容易にするために、支持梁４Ａをチャンネル４１Ａとカバー４２Ａの別体としたが、例えば、支持梁４Ａが１つの部材から形成されていてもよい。また、支持梁４Ａの表面には、化粧材等が配置されていてもよく、その表面に、印刷等により模様が付されていてもよい。
【００６８】
上述したように、光源２と蓄熱部材３とは、支持梁４Ａに形成された収容凹部４３Ａに収容されている。光源２は、収容凹部４３Ａの開口部４３ａから上方に露出するように配置されている（図８参照）。これにより、光源２からの光を、開口部４３ａを介して天井面Ｔに照射することができる。なお、光源２は、シーリングコンセントＣに差し込まれたプラグ５１から、配線５２を介して電力が供給される。
【００６９】
一方、蓄熱部材３は、収容凹部４３Ａの底面（内壁面）４３ｂに接触するように配置されている。これにより、蓄熱部材３は、収容凹部４３Ａの底面（内壁面）４３ｂに接触しているので、光源２で発生し、蓄熱部材３で蓄熱した熱を、支持梁４Ａを介して、室内Ｒに効率良く放熱することができる。さらに、本実施形態では、蓄熱部材３の上面に光源２が載置されている。これにより、光源２を蓄熱部材３に接触させることができるので、光源２からの熱を、蓄熱部材３に効率良く蓄熱させることができる。
【００７０】
図９（ａ）および図９（ｂ）は、図８に示す照明ユニット１Ｂの第１および第２の変形例に係る模式的断面図である。図９（ａ）に示す変形例では、蓄熱部材３が、収容凹部４３Ａの底面(内壁面）４３ｂと、底面４３ｂの両側から連続して立ち上った内側面（内壁面）４３ｃ，４３ｃと、に接触している。さらに、収容凹部４３Ａには、蓄熱部材３を介して収容凹部４３Ａの内側面（内壁面）４３ｃ，４３ｃを押圧する押圧部材７Ａが配置されている。光源２は、押圧部材７Ａに接触しており、押圧部材７Ａを介して、蓄熱部材３に配置されている。
【００７１】
図９（ａ）に示す状態では、押圧部材７Ａは、チャンネル状であり、蓄熱部材３が収容凹部４３Ａの内側面４３ｃ，４３ｃを押圧するように弾性変形させて、収容凹部４３Ａに配置されている。これにより、押圧部材７Ａは、内側に向かって弾性変形させた側壁部７１が、元の形状に戻ろうとする復元力（側壁部７１が外側に広がろうとする復元力）により、側壁部７１，７１で、蓄熱部材３を付勢する。本実施形態では、押圧部材７Ａは、蓄熱部材３の長手方向に亘って、蓄熱部材３を付勢する。この付勢力で蓄熱部材３は内側面４３ｃ，４３ｃを押圧する。
【００７２】
このような結果、押圧部材７Ａは、蓄熱部材３を介して収容凹部４３Ａの内側面４３ｃ，４３ｃを押圧するので、蓄熱部材３と内側面４３ｃとの隙間の発生を抑制し、蓄熱部材３からの熱を、支持梁４Ａを介して室内Ｒにより効率良く放熱することができる。
【００７３】
ここで、押圧部材７Ａの材質は、上述した弾性変形が可能なものであれば、特に限定されるものではなく、樹脂材料または金属材料等を挙げることができるが、本実施形態では、押圧部材７Ａは、アルミニウム、鋼等の金属材料からなる。これにより、光源２から発生した熱を、光源２に接触した押圧部材７Ａに好適に伝達し、さらに、押圧部材７Ａに伝達された熱を、蓄熱部材３の表面に均一に伝達することができる。
【００７４】
この他にも、押圧部材７Ａが、樹脂材料からなる本体に金属膜を被覆したものであってもよい。この場合であっても、押圧部材７Ａの金属膜を介して、光源２からの熱を、押圧部材７Ａの金属膜を介して、蓄熱部材３に均一に伝達することができる。
【００７５】
さらに図９（ｂ）の変形例に示すように、押圧部材７Ｂを、樹脂、ゴム、またはこれらの発泡体などの弾性体からなってもよい。この場合には、押圧部材７Ｂは、蓄熱部材３が収容凹部４３Ａの内側面４３ｃ，４３ｃを押圧するように圧縮弾性変形させた状態で、収容凹部４３Ａに配置されている。さらに、押圧部材７Ｂの表面７２に、金属膜を被覆してもよい。これにより、光源２からの熱を、押圧部材７Ｂの表面７２の金属膜を介して、蓄熱部材３に均一に伝達することができる。
【００７６】
図１０は、本発明の第２実施形態のさらなる変形例に係る照明ユニット１Ｂを壁面Ｗに取り付けた状態の模式的斜視図であり、図１１は、図１０に示す照明ユニット１Ｂの取付け構造を説明するための模式的分解斜視図である。図１２は、図１１のＢ−Ｂ線の矢視に沿った模式的断面図である。
【００７７】
第２施形態のさらなる変形例に係る照明ユニット１Ｂが、図６に示すものと相違する点は、図１０に示すように、取付け部材８Ｂが室内Ｒに露出してない点である。以下に、図６に示す第２実施形態に係る部材と同じ機能を有するものには、同じ符号を付して、その詳細な説明を省略する。
【００７８】
図１０に示すように、この変形例でも、支持梁４Ｂは、対向する壁面Ｗ，Ｗの間をわたすように配置される支持梁４Ｂであり、支持梁４Ｂの両側に形成された空洞部４３Ｂに、取付け部材８Ｂ，８Ｂを収容した状態で、壁面Ｗ，Ｗに取付けられている。壁面Ｗ，Ｗ間に取付けられた照明ユニット１Ｂは、天井面Ｔに配置されたシーリングコンセントＣから電力が供給される。
【００７９】
支持梁４Ｂには、支持梁４Ｂの長手方向に沿って、光源２と蓄熱部材３とを収容する空洞部４３Ｂが形成されている。具体的には、支持梁４Ｂは、壁面Ｗ，Ｗの距離に相当する長さを有しており、長手方向と直交する断面がコ字状のチャンネル４１Ｂと、チャンネル４１Ｂに形成された開口部４１ａを覆うカバー４２Ｂと備えている。本実施形態では、チャンネル４１Ｂの開口部４１ａを、カバー４２Ｂで覆うことにより、支持梁４Ｂに、空洞部４３Ｂを形成することができる。
【００８０】
なお、この変形例では、支持梁４Ｂをチャンネル４１Ｂとカバー４２Ｂの別体としたが、例えば、施工時に、折り曲げることにより、空洞部が形成された筒状の支持梁４Ｂを得ることができるのであれば、支持梁４Ｂは、１つの部材から形成されていてもよい。
【００８１】
支持梁４Ｂを構成するカバー４２Ｂは、空洞部４３Ｂから光源２を露出させる開口部４３ａが形成されている。光源２は、開口部４３ａから露出するように配置されている。これにより、光源２からの光を、開口部４３ａを介して天井面Ｔに照射することができる。
【００８２】
蓄熱部材３は、空洞部４３Ｂの底面４３ｂおよび一対の内側面４３ｃ，４３ｃに接触するように配置されている。これにより、蓄熱部材３は、空洞部４３Ｂの底面４３ｂおよび一対の内側面４３ｃ，４３ｃに接触しているので、光源２で発生し、蓄熱部材３で蓄熱した熱を、支持梁４Ｂを介して、室内に効率良く放熱することができる。さらに、この変形例でも、蓄熱部材３の上面に光源２が載置されている。これにより、光源２を蓄熱部材３に接触させることができるので、光源２からの熱を、蓄熱部材３に効率良く蓄熱させることができる。
【００８３】
さらに、この変形例では、２つの取付け部材８Ｂ，８Ｂは、空洞部４３Ｂの両側から挿入された状態で、支持梁４Ｂと壁面Ｗに固定されている。図１１では、取付け部材８Ｂは、固定具（図示せず）により、壁面Ｗに取付けられており、固定具は、空洞部４３Ｂに収容された際に、室内から見えない位置に配置される。さらに、支持梁４Ｂを構成するチャンネル４１Ｂおよび取付け部材８Ｂには、これらを固定具９２で固定するための孔部４１ｄ，８ｄが形成されている。支持梁４Ｂを取り付ける際には、例えば、チャンネル４１Ｂと、取付け部材８Ｂとを、固定具９２を介して固定した後に、チャンネル４１Ｂにカバー４２Ｂを取り付ける。
【００８４】
この変形例によれば、壁面Ｗに支持梁４Ｂを取り付ける取付け部材８Ｂは、支持梁４Ｂの空洞部４３Ｂの両側から挿入された状態で、支持梁４Ｂと壁面Ｗとに固定されるので、取付け部材８Ｂが、空洞部４３Ｂ内に収まる。これにより、取付け部材８Ｂが室内Ｒに露出することを抑え、室内Ｒの美観を高めることができる。さらに、支持梁４Ｂは、取付け部材８Ｂを介して壁面Ｗに取付けられているので、支持梁４Ｂの取付け取り外しを簡単に行うことができる。これにより、室内空間において、照明ユニット１Ｂの施工を簡単に行うことができる。
【００８５】
図１３（ａ）および図１３（ｂ）は、図１２に示す照明ユニット１Ｂの第１および第２の変形例に係る模式的断面図である。図１３（ａ）に示す変形例では、蓄熱部材３が、空洞部４３Ｂの底面(内壁面）４３ｂと、底面４３ｂの両側から連続して立ち上った内側面（内壁面）４３ｃ，４３ｃと、上面（内壁面）４３ｄの一部に接触している。さらに、空洞部４３Ｂには、蓄熱部材３介して空洞部４３Ｂのこれらの内側面（４３ｂ，４３ｃ，４３ｄ）を押圧する押圧部材７Ａが配置されている。光源２は、押圧部材７Ａの一部と蓄熱部材３の一部に配置されている。
【００８６】
押圧部材７Ａは、各内壁面（４３ｂ，４３ｃ，４３ｄ）に接触した蓄熱部材３の部分を介して、これらの内壁面を押圧するように、弾性変形させて、空洞部４３Ｂに配置されている。この変形例では、支持梁４Ｂが筒状であり、内部に空洞部４３Ｂを形成しているため、空洞部４３Ｂを形成する内壁面の広範囲を、蓄熱部材３を介して押圧部材７Ａで押圧することが可能である。
【００８７】
押圧部材７Ａの弾性変形は、図９（ａ）で説明した内容と同じである。このような結果、押圧部材７Ａで、蓄熱部材３が空洞部４３Ｂの各内壁面（４３ｂ，４３ｃ，４３ｄ）を押圧するので、蓄熱部材３と内壁面（４３ｂ，４３ｃ，４３ｄ）との隙間の発生を抑制し、蓄熱部材３からの熱を、支持梁４Ａを介して室内Ｒにより効率良く放熱することができる。
【００８８】
ここで、押圧部材７Ａの材質は、図９（ａ）で説明した内容と同じであり、アルミニウム、鋼等の金属材料からことが好ましい。これにより、光源２から発生した熱を、光源２に接触した押圧部材７Ａに好適に伝達し、さらに、押圧部材７Ａに伝達された熱を、蓄熱部材３の表面に均一に伝達することができる。
【００８９】
さらに図１３（ｂ）の変形例に示すように、押圧部材７Ｂを、樹脂、ゴム、またはこれらの発泡体などの弾性体からなってもよい。この場合には、押圧部材７Ｂは、蓄熱部材３が空洞部４３Ｂの内壁面（４３ｂ，４３ｃ，４３ｄ）を押圧するように圧縮弾性変形させた状態で、空洞部４３Ｂに配置されている。さらに、押圧部材７Ｂの表面７２に、金属膜を被覆してもよい。これにより、光源２からの熱を、押圧部材７Ｂの表面７２の金属膜を介して、蓄熱部材３に均一に伝達することができる。
【００９０】
〔第３実施形態〕
以下に第３実施形態に係る照明ユニット１Ｃを説明する。図１４（ａ）は、本発明の第３実施形態に係る照明ユニット１Ｃを壁面Ｗに取付けた状態の模式的断面図である。第３実施形態に係る照明ユニット１Ｃが、第１実施形態のものと相違する点は、図１４（ａ）に示すように、支持部材を用いていない点であり、パネル材７をさらに備えている点である。以下に、第１実施形態に係る部材と同じ機能を有するものには、同じ符号を付して、その詳細な説明を省略する。
【００９１】
図１４（ａ）に示すように、本実施形態に係る照明ユニット１Ｃは、板状の蓄熱部材３Ｃを備えている。蓄熱部材３Ｃには、多孔質材または木材に潜熱蓄熱材を含浸させたものや、潜熱蓄熱材または板状の多孔質材または木材に潜熱蓄熱材を含浸させたものを枠等に組み込んで板状にしたもの等がある。枠に潜熱蓄熱材等を組み込んだ場合には、釘またはネジなどはこの枠に固定するため、蓄熱部材３Ｃから潜熱蓄熱材が漏洩することはほとんどない。
【００９２】
さらに、第１実施形態と同様の光源２が、蓄熱部材３Ｃの端面に沿って、配置されている。また、図示しないが、第１実施形態と同様に、変換器が光源２に隣接した位置に配置されており、本実施形態では、光源２と同様に蓄熱部材３Ｃの端面に配置されている。照明ユニット１Ｂは、室内Ｒに面するように配置されるパネル材７をさらに備えている。パネル材７は、室内Ｒに向かう光源２の光を遮蔽する遮光部７３が形成されるように、蓄熱部材３Ｃに取付けられている。照明ユニット１Ｃを壁面Ｗに取付けた状態で、パネル材７と壁面（室内面）Ｗとの間に、蓄熱部材３Ｃが配置される。
【００９３】
本実施形態では、照明ユニット１Ｃを壁面Ｗに取り付ける際には、パネル材７側から、釘またはネジなどの固定具９２で、照明ユニット１Ｃを壁面Ｗに固定し、パネル材７の表面に、化粧材７４などを貼り付ける。なお、本実施形態では、固定具９２で照明ユニット１Ｂを壁面に取付けたが、例えば、蓄熱部材３Ｃに取付け用金具を取り付けて、これを介して壁面Ｗに取付けてもよい。
【００９４】
図１４（ｂ）は、図１４（ａ）に示す照明ユニット１Ｃの変形例を示した模式的断面図である。この変形例では照明ユニット１Ｃ’は、パネル材７を含まない。すなわち、変形例に係る照明ユニット１Ｃ’は、光源２と蓄熱部材３Ｃとからなる。
【００９５】
照明ユニット１Ｃ’を取り付ける際には、蓄熱部材３Ｃを、壁面Ｗに配置し、固定具９２で、蓄熱部材３Ｃを壁面Ｗに固定する。その後、蓄熱部材３Ｃにパネル材７を取り付ける。
【００９６】
このように、第２実施形態では、パネル材７と壁面Ｗとの間において蓄熱部材３Ｃが配置されるので、蓄熱部材３Ｃの潜熱蓄熱材で蓄熱された熱を、パネル材７を介して室内Ｒに放熱することができる。また、パネル材７と壁面Ｗとの間に、蓄熱部材３Ｃの厚み分の隙間が形成されているので、この隙間を形成する空間にも、蓄熱部材３Ｃの潜熱蓄熱材で蓄熱された放熱することができる。
【００９７】
以上、本発明の実施の形態を詳述してきたが、具体的な構成はこの実施形態に限定されるものではなく、本発明の要旨を逸脱しない範囲における設計変更があっても、それらは本発明に含まれるものである。
【００９８】
第１〜第３実施形態に係る照明ユニットは、室内の天井面または壁面に支持部材を介して取り付けられたが、例えば、支持部材を介して床面など他の室内面に取付けられてもよい。また、光源からの光を反射させる室内面が天井面である場合に、照明ユニットを天井面と隣接する壁面に支持部材を介して取り付けてもよく、その室内面が壁面である場合に、照明ユニットを壁面と隣接する天井面または床面に支持部材を介して取り付けてもよい。
【符号の説明】
【００９９】
１Ａ，１Ｂ，１Ｃ，１Ｃ’：照明ユニット、２：光源、２１：ＬＥＤ素子、２２：基板、２３：ボンディングワイヤ、２４：リフレクタ、２５：凹部、２６：樹脂、３，３Ａ，３Ｂ，３Ｃ：蓄熱部材、３１：凹溝、４：支持部材、４Ａ，４Ｂ：支持梁、４１：載置部、４２：屈曲部、４３：遮光部、４３Ａ：収容凹部、４３Ｂ：空洞部、４４：フィン、４５：金属層、５：変換器、７：パネル材、７３：遮光部、７４：化粧材、７Ａ，７Ｂ：押圧部材、８Ａ，８Ｂ：取付け部材、９１：金具、９２：固定具、Ｆ：床面、Ｔ：天井面、Ｒ：室内、Ｗ：壁面。
【図１】
0006797617.tif 000002
【図２】
0006797617.tif 000003
【図３】
0006797617.tif 000004
【図４】
0006797617.tif 000005
【図５】
0006797617.tif 000006
【図６】
0006797617.tif 000007
【図７】
0006797617.tif 000008
【図８】
0006797617.tif 000009
【図９】
0006797617.tif 000010
【図１０】
0006797617.tif 000011
【図１１】
0006797617.tif 000012
【図１２】
0006797617.tif 000013
【図１３】
0006797617.tif 000014
【図１４】
0006797617.tif 000015